(57)【要約】【課題】撮像データにメタデータを付加する場合に、メタデータの絞り込みを行い、メタデータの付加を簡単に行うことを目的とする。【解決手段】本発明は、メタデータ、及び前記メタデータに属するメタデータ属性情報を記憶する記憶手段と、撮影を行う撮影状態に応じて、前記撮影状態に関連付けられた前記メタデータ属性情報からメタデータを抽出するメタデータ抽出手段と、前記メタデータ抽出手段で抽出したメタデータを撮影した撮像データに付加するメタデータ付加手段とを有することを特徴とする。【選択図】図１
2008270975.tif 000002
【特許請求の範囲】
【請求項１】
メタデータ、及び前記メタデータに属するメタデータ属性情報を記憶する記憶手段と、
撮影を行う撮影状態に応じて、前記撮影状態に関連付けられた前記メタデータ属性情報に基づいてメタデータを抽出するメタデータ抽出手段と、
前記メタデータ抽出手段で抽出したメタデータを撮像データに付加するメタデータ付加手段とを有することを特徴とする情報付加装置。
【請求項２】
前記メタデータ抽出手段は、前記撮影状態に関連付けられた前記メタデータ属性情報から複数のメタデータを抽出し、
前記メタデータ付加手段は、前記メタデータ抽出手段で抽出された複数のメタデータからユーザにより選択されたメタデータを撮像データに付加することを特徴とする請求項１に記載の情報付加装置。
【請求項３】
前記メタデータ抽出手段によって抽出されたメタデータを表示部に表示する表示出力手段を有し、
前記表示出力手段は、前記メタデータ抽出手段によって抽出されたメタデータを、前記メタデータ属性情報として設定された順番にしたがって表示することを特徴とする請求項１又は２に記載の情報付加装置。
【請求項４】
前記撮影状態は、撮影操作により撮影を開始しているか否かを示す状態であり、
前記メタデータ属性情報は、メタデータを時間で階層化した分類であり、
前記撮影状態が撮影を開始していない状態の場合、前記メタデータ抽出手段は、前記分類のうち時間的に長い分類からメタデータを抽出し、
前記撮影状態が撮影を開始している状態の場合、前記メタデータ抽出手段は、前記分類のうち時間的に短い分類からメタデータを抽出することを特徴とする請求項１乃至３のいずれか１項に記載の情報付加装置。
【請求項５】
前記撮影状態は、撮影を行う撮影条件であり、
前記メタデータ属性情報は、メタデータに属する焦点距離、画角、色味、露出、及びシーンモードのいずれか１つを含む情報であり、
前記撮影条件を取得する撮影情報取得手段を有し、
前記メタデータ付加手段は、前記撮影情報取得手段で取得した撮影条件に関連付けられた前記メタデータ属性情報からメタデータを抽出することを特徴とする請求項１乃至３のいずれか１項に記載の情報付加装置。
【請求項６】
前記撮影状態は、撮影を行う日時であり、
前記メタデータ属性情報は、設定時間であり、
前記撮影を行う日時を取得する撮影情報取得手段を有し、
前記メタデータ抽出手段は、前記撮影情報取得手段で取得した日時に関連付けられた前記メタデータ属性情報からメタデータを抽出することを特徴とする請求項１乃至３のいずれか１項に記載の情報付加装置。
【請求項７】
前記表示出力手段は、撮影時の調整操作中において、メタデータの表示を中止することを特徴とする請求項１乃至６のいずれか１項に記載の情報付加装置。
【請求項８】
メタデータ、及び前記メタデータに属するメタデータ属性情報を記憶する記憶手段を有する情報付加装置における情報付加方法であって、
撮影を行う撮影状態に応じて、前記撮影状態に関連付けられた前記メタデータ属性情報に基づいてメタデータを抽出するメタデータ抽出ステップと、
前記メタデータ抽出ステップで抽出したメタデータを撮像データに付加するメタデータ付加ステップとを有することを特徴とする情報付加装置における情報付加方法。
【請求項９】
メタデータ、及び前記メタデータに属するメタデータ属性情報を記憶する記憶手段を有する情報付加装置を制御するプログラムであって、
撮影を行う撮影状態に応じて、前記撮影状態に関連付けられた前記メタデータ属性情報に基づいてメタデータを抽出するメタデータ抽出ステップと、
前記メタデータ抽出ステップで抽出したメタデータを撮像データに付加するメタデータ付加ステップとをコンピュータに実行させるためのプログラム。
【発明の詳細な説明】
【技術分野】
【０００１】
本発明は、デジタルビデオカメラ等の撮像装置に用いられて好適な情報付加装置、情報付加方法、及びプログラムに関する。
【背景技術】
【０００２】
近年の撮像データのデジタル化に伴い、撮像装置では、撮像した撮像データ以外に、撮影設定情報やＧＰＳ（Ｇｌｏｂａｌ  Ｐｏｓｉｔｉｏｎｉｎｇ  Ｓｙｓｔｅｍ）による位置データ等のメタデータが撮像データに付加され、記録されるようになっている。このメタデータは、撮像データを検索する場合や、撮像データを分類する場合にも利用される。したがって、このメタデータを撮像データに効率よく簡単に付加できるような情報付加装置が所望されている。
【０００３】
例えば、特許文献１には、撮像データの内容の種類に応じて、予めメタデータとして付与する候補となるものを作成しておき、撮像データの登録時に、これをユーザに提示して選択させる技術が開示されている。
【０００４】
【特許文献１】特開２００２−１７５２９８号公報
【発明の開示】
【発明が解決しようとする課題】
【０００５】
しかしながら、上述した特許文献１の技術によれば、撮影後に作業を行う必要があり、画像を確認しながらの作業は効率の点で問題があった。
本発明は上述した問題点に鑑みてなされたものであり、効率よく簡単にメタデータを付加できるようにすることを目的とする。
【課題を解決するための手段】
【０００６】
本発明の情報付加装置は、メタデータ、及び前記メタデータに属するメタデータ属性情報を記憶する記憶手段と、撮影を行う撮影状態に応じて、前記撮影状態に関連付けられた前記メタデータ属性情報に基づいてメタデータを抽出するメタデータ抽出手段と、前記メタデータ抽出手段で抽出したメタデータを撮影した撮像データに付加するメタデータ付加手段とを有することを特徴とする。
【０００７】
本発明は、メタデータ、及び前記メタデータに属するメタデータ属性情報を記憶する記憶手段を有する情報付加装置における情報付加方法であって、撮影を行う撮影状態に応じて、前記撮影状態に関連付けられた前記メタデータ属性情報に基づいてメタデータを抽出するメタデータ抽出ステップと、前記メタデータ抽出ステップで抽出したメタデータを撮像データに付加するメタデータ付加ステップとを有することを特徴とする情報付加装置における情報付加方法。
【０００８】
本発明は、メタデータ、及び前記メタデータに属するメタデータ属性情報を記憶する記憶手段を有する情報付加装置を制御するプログラムであって、撮影を行う撮影状態に応じて、前記撮影状態に関連付けられた前記メタデータ属性情報に基づいてメタデータを抽出するメタデータ抽出ステップと、前記メタデータ抽出ステップで抽出したメタデータを撮像データに付加するメタデータ付加ステップとをコンピュータに実行させるためのプログラムである。
【発明の効果】
【０００９】
本発明によれば、撮影時において、撮像データにメタデータを付加する場合に、メタデータの絞り込みを行うことができるので、メタデータの付加を簡単に行うことができる。
【発明を実施するための最良の形態】
【００１０】
以下、本発明の実施形態について図面に基づいて説明する。
（第１の実施形態）
図１は、本実施形態に係る情報付加装置を適用した撮像装置１の構成を示す図である。
撮像装置１は、光学系１０１と、撮像素子１０２と、カメラ信号処理部１０３と、圧縮伸長処理部１０４と、記録再生制御処理部１０５と、記録媒体１０６と、レンズ制御部１０７と、システムコントローラ１０８と、操作部１０９とを含んで構成される。
【００１１】
光学系１０１は、レンズ等である。撮像素子１０２は、光学系１０１から入射した撮像光を電気信号に変換する。カメラ信号処理部１０３は、撮像素子１０２から受けた電気信号にデジタル変換やホワイトバランス調整等の信号処理を行う。圧縮伸長処理部１０４は、記録時において、カメラ信号処理部１０３から受けた電気信号を記録媒体１０６へ記録するためのデータ形式へ圧縮を行う。また、圧縮伸長処理部１０４は、再生時において、記録媒体１０６から読み出された圧縮データの伸長を行う。
【００１２】
記録再生制御処理部１０５は、記録媒体１０６に対して撮像データの書き込み、及び読み込みの制御を行う。記録媒体１０６は、撮像データ及びメタデータ等を記録するハードディスクドライブ（ＨＤＤ）である。レンズ制御部１０７は、光学系１０１のレンズに対して、ズーム、フォーカス、絞り等の制御を行う。
【００１３】
システムコントローラ１０８は、ＣＰＵ、記憶手段としてのメモリ等を含んで構成される。システムコントローラ１０８は、各処理部の状態管理をしたり、実行処理を制御したり、各種設定の記憶等をしたりする。また、システムコントローラ１０８は、機能構成として、撮影情報取得部１０８１と、メタデータ付加部１０８２と、メタデータ設定記憶部１０８３と、メタデータ候補抽出部１０８４とを含んで構成される。
【００１４】
撮影情報取得手段としての撮影情報取得部１０８１は、撮影時における撮影情報を取得する。より具体的に説明すると、撮影情報取得部１０８１は、不図示の時計から撮影を行う日時等の撮影情報を取得したり、カメラ信号処理部１０３やレンズ制御部１０７からゲイン及び絞り値等の撮影条件を取得したりする。
メタデータ付加手段としてのメタデータ付加部１０８２は、記録する撮像データにメタデータを付加する。
【００１５】
メタデータ設定記憶部１０８３は、ユーザが付加したいメタデータと、このメタデータに属するメタデータ属性情報とを設定してシステムコントローラ１０８の記憶手段であるメモリに記憶する。なお、メタデータ設定記憶部１０８３は、記録媒体１０６に記憶してもよい。この場合、記録媒体１０６が記憶手段を構成する。
【００１６】
メタデータ抽出手段としてのメタデータ候補抽出部１０８４は、撮影操作、撮影条件、及び撮影情報等の撮影状態に関連付けられたメタデータ属性情報から、撮像データに付加するメタデータの候補を抽出する。
【００１７】
操作手段としての操作部１０９は、ユーザが撮像装置１に対して撮影操作や各種設定を行うためのボタン、スイッチ、及びリモコンとを含んで構成される。また、操作部１０９は、機能構成として、メタデータ付加選択部１０９１と、メタデータ設定部１０９２とを含んで構成される。なお、撮影操作とは、例えば、撮影の開始、撮影の終了、及びズーム等の操作が含まれる。撮影の開始の撮影操作により、撮像データと撮像データに付加されるメタデータとが記録媒体１０６に記録される。
【００１８】
メタデータ付加選択部１０９１は、メタデータ候補抽出部１０８４で抽出されたメタデータの候補の中から、実際に付加するメタデータをユーザに選択させる選択部である。なお、メタデータ付加選択部１０９１は、独立したボタンでなくてもよいが、撮影操作に関するボタン等とは独立していることが好ましい。メタデータ付加選択部１０９１によって選択されたメタデータは、メタデータ付加部１０８２が記録する撮像データに付加する。また、ここで設定されたものは、設定変更があるまで記憶され、常に設定として使用する。
メタデータ設定部１０９２は、メタデータ設定記憶部１０８３がメモリに記憶するメタデータ及びメタデータ属性情報を、ユーザに設定操作させる操作部である。
【００１９】
表示出力手段としての表示出力処理部１１０は、圧縮伸長処理部１０４からの出力映像の信号やシステムコントローラ１０８からのメニュー表示信号等を受け、ビューファインダや液晶パネル等の表示部へ表示する。また、表示出力処理部１１０は、各種インターフェイスに応じた信号を出力する。なお、表示部が、タッチパネル式となっている場合には、操作部１０９と表示部とを共通にしてもよい。
【００２０】
なお、音声についてはマイクやスピーカを用いることで、撮像装置１と同様に記録、及び再生が可能である。また、映像（動画）記録時には、通常音声記録も同時に行われ、圧縮伸長処理部１０４において、映像と音声が多重化される。
【００２１】
次に、本実施形態に係る撮像装置の動作処理について説明する。
図２は、メタデータ設定記憶部１０８３がシステムコントローラ１０８のメモリにメタデータを記憶する際の動作処理を示すフローチャートである。ユーザは、メタデータの設定をメタデータ設定部１０９２で行う。
【００２２】
まず、ステップＳ２０１では、ユーザはメタデータ設定部１０９２でメタデータのキーワード入力を行う。メタデータ設定記憶部１０８３は、ユーザにより入力されたキーワードを検出する。なお、キーワード入力は、ユーザが自由にわかりやすいキーワードを入力することができる。また、このキーワードは、ユーザが撮像データを検索したり、撮像データを分類したりする基となるメタデータである。
【００２３】
ここで、入力されるキーワードの一例を図４に示す。図４の入力キーワードの欄４０３には、ステップＳ２０１において入力されたキーワードである「運動会」「発表会」「いもほり」「ドライブ」「開会式」「競技」等が登録されている。
【００２４】
次に、ステップＳ２０２では、メタデータ設定記憶部１０８３は、ステップＳ２０１で入力されたキーワードが、システムコントローラ１０８のメモリに登録されているか否かの判定を行う。登録されていない場合にはステップＳ２０３へ進む。登録されている場合にはステップＳ２０４へ進む。
【００２５】
次に、ステップＳ２０３では、メタデータ設定記憶部１０８３は、ステップＳ２０１で入力されたキーワードをシステムコントローラ１０８のメモリに新規データとして登録（記憶）する。次に、ステップＳ２０５へ進む。
【００２６】
ステップＳ２０４では、メタデータ設定記憶部１０８３は、ステップＳ２０１で入力されたキーワードと同一のキーワードデータを読み込み、修正対象として、ステップＳ２０５へ進む。
【００２７】
ステップＳ２０５では、ユーザは、メタデータ設定部１０９２でキーワードの分類を選択する。ここで、分類は、キーワード（メタデータ）に属する情報、即ちメタデータ属性情報の１つである。分類は、メタデータを時間で階層化したものであり、より詳しくは撮影に要する時間（期間）を基準とし、時間を要する順に分類したものである。ここで、分類としてはタイトル、シーン、カット、フレームがある。ユーザは、入力したキーワードに対して、タイトル、シーン、カット及びフレームの分類から何れかを選択する。メタデータ設定記憶部１０８３は、ユーザにより選択された分類を検出する。
【００２８】
ここで、入力されたキーワードに対して選択された分類の一例を図４に示す。図４の分類の欄４０４には、ステップＳ２０５にて選択された分類が登録されている。例えば、入力キーワード「運動会」には、分類として「タイトル」が登録されている。また、入力キーワード「競技」は、「運動会」の時間の中で行われるので、分類としてタイトルの下位である「シーン」が登録されている。また、入力キーワード「かけっこ」は、「競技」の時間の中で行われるので、分類としてシーンの下位である「カット」が登録されている。また、入力キーワード「△介くん」は、様々な「カット」の中で出現するので、分類として「フレーム」が登録されている。
【００２９】
次に、ステップＳ２０６では、ユーザは、メタデータ設定部１０９２で、親分類（関連付け）及び順番を選択する。メタデータ設定記憶部１０８３は、ユーザにより選択された親分類（関連付け）、及び順番を検出する。ここで、親分類（関連付け）及び順番は、メタデータ属性情報の１つである。親分類（関連付け）とは、入力されたキーワードの上位となる分類をいう。例えば、図４の入力キーワード「競技」には、図４の親分類（関連付け）の欄４０６のように「運動会（タイトル）」が関連付けられている。また、順番とは、同一階層内における順番であり、より詳しくは、親分類を同一とする分類の中で撮影される順番をいう。例えば、図４で親分類を「運動会（タイトル）」とする入力キーワード「開会式」「競技」「お弁当」「閉会式」は、実際に実施される順番に登録されている。ただし、順番は、撮像データにメタデータを付加する際、候補となる複数のメタデータをこの順番に表示するものであり、絶対的なものでなくてもよい。
【００３０】
次に、ステップＳ２０７では、ユーザは、メタデータ設定部１０９２で、詳細情報の設定を行う。メタデータ設定記憶部１０８３は、各入力されたキーワードについて実施される日時や設定期間等の詳細情報の設定を行う。ここで、詳細情報はメタデータ属性情報の１つである。詳細情報の設定とは、入力されたキーワードについてより詳細な情報を設定することをいう。例えば、図４の入力キーワード「運動会」には「１０月、１日間、○△幼稚園」が登録されている。なお、設定された詳細情報は、メタデータ候補抽出部１０８４がメタデータを付加する候補を抽出するときにも用いられる。
【００３１】
次に、ステップＳ２０８では、メタデータ設定記憶部１０８３は、ステップＳ２０３からＳ２０７で設定されたメタデータに属するメタデータ属性情報をシステムコントローラ１０８のメモリにデータ保存する。
【００３２】
次に、ステップＳ２０９では、メタデータ設定記憶部１０８３は、メタデータの登録作業が終了したか否かの判定を行う。終了した場合には、メタデータ登録処理を終了する。終了していない場合には、ステップＳ２０１に戻り、新たなメタデータの登録作業を行う。
【００３３】
上述したメタデータの登録作業が完了し、システムコントローラ１０８のメモリに登録されたメタデータリストの例を図４に示す。図４の４０１は、メタデータの登録作業で新規に登録されものである。４０２は、初期状態として登録済みのものである。
【００３４】
図５は、登録されたデータリストの一部のデータの相関を表した図である。最も上位であるタイトル５０１の分類には、「運動会」「発表会」「いもほり」が属している。また、親分類をタイトル「運動会」とするシーン５０２の分類には、「開会式」「競技」「お弁当」「閉会式」が属している。これらシーンの分類には、実施される順番として、「開会式」には１、「競技」には２、「お弁当」には３、「閉会式」には４が付されている。しかし、実際に撮影される順番は例えば、矢印で示すように「開会式」「競技」「お弁当」が行われ、この「お弁当」の後に「競技」が行われ、その後、「閉会式」が行われる場合がある。また、親分類をシーン「競技」とするカット５０３の分類には、「かけっこ」「お遊戯Ａ」「父親競技」「お遊戯Ｂ」が属している。これらのカットの分類には、実施される順番として、「かけっこ」には１、「お遊戯Ａ」には２、「父親競技」には３、「お遊戯Ｂ」には４が付されている。また、フレーム５０４の分類には、「○太入場」「◇子先生」「△介くん」「園長先生」等が属している。
【００３５】
図３は撮影時において、撮像データにメタデータを付加する場合の動作処理を示すフローチャートである。フローチャートは、撮像装置の電源投入後から実行される。
【００３６】
ステップＳ３０１では、電源投入後、メタデータ付加部１０８２は、システムコントローラ１０８のメモリに分類がタイトルに設定されている入力キーワード（メタデータ）を確認する。また、メタデータ付加部１０８２は、タイトルに設定されたメタデータの詳細情報から、タイトルの設定期間等を確認する。
【００３７】
ステップＳ３０２では、メタデータ付加部１０８２は、ステップＳ３０１で確認した結果から、タイトルの変更が必要であるか否かの判定を行う。ここで、例えば、メタデータ「東北旅行」の詳細情報において、設定日時を１１月１０日（発）とし、設定期間を３日間として設定している場合を想定する。この場合、メタデータ付加部１０８２は、電源投入日と、設定日時及び設定期間とを比較し、電源投入日が、１１月１０日から３日間以内であれば、変更が必要ないと判定する。変更が必要ない場合はステップＳ３０６へ進む。変更が必要な場合はステップＳ３０３へ進む。
【００３８】
ステップＳ３０３では、メタデータ候補抽出部１０８４は、詳細情報４０７及び分類をタイトルとするメタデータを絞り込んで抽出する。表示出力処理部１１０は、メタデータ候補抽出部１０８４で選択の候補となるメタデータを表示部に一覧表示する。
【００３９】
図６の表示６０１は、メタデータを表示部に一覧表示したときの表示例を示す。この表示６０１には、現在日時６０１２が表示されている。メタデータ候補抽出部１０８４は、現在日時６０１２の表示、又は撮影情報取得部１０８１から、撮影する現在の日時が１０月であることを判定する。次に、メタデータ候補抽出部１０８４は、メタデータリストから分類４０４がタイトルに設定され、詳細情報４０７が１０月に設定されているメタデータを絞り込む。表示出力処理部１１０は、絞り込んだメタデータを表示部に表示する。表示６０１には、絞り込んだメタデータの一覧６０１１が表示されている。
【００４０】
ステップＳ３０４では、ユーザはステップＳ３０３で表示されたメタデータの一覧６０１１からメタデータ付加選択部１０９１でタイトルとして付加するメタデータを選択する。続いて、メタデータ候補抽出部１０８４は、ユーザにより選択されたメタデータを検出する。
【００４１】
ステップＳ３０５では、メタデータ付加部１０８２は、撮像データに対してタイトルとしてのメタデータを付加する設定を行う。
【００４２】
ステップＳ３０６では、メタデータ付加部１０８２は、システムコントローラ１０８のメモリに分類がシーンに設定されている入力キーワード（メタデータ）を確認する。また、メタデータ付加部１０８２は、シーンに設定されたメタデータの詳細情報から、シーンの設定期間等を確認する。
【００４３】
ステップＳ３０７では、メタデータ付加部１０８２は、ステップＳ３０６で確認した結果から、シーンの変更が必要であるか否かの判定を行う。ここで、例えば、親分類が運動会であるメタデータ「開会式」の詳細情報において、設定時間を１時間と設定している場合を想定する。この場合、メタデータ付加部１０８２は、「開会式」が選択され撮影が開始されてから１時間以上であれば、変更が必要であると判定する。変更が必要ない場合はステップＳ３１１へ進む。変更が必要な場合はステップＳ３０８へ進む。
【００４４】
ステップＳ３０８では、メタデータ候補抽出部１０８４は、順番４０５、親分類（関連付け）４０６、及び詳細情報４０７等から分類をシーンとするメタデータを絞り込んで抽出する。表示出力処理部１１０は、メタデータ候補抽出部１０８４で選択の候補となるメタデータを表示部に表示する。
【００４５】
図６の表示６０２は、メタデータを表示部に表示したときの表示例を示す。この表示６０２には、シーンの分類で選択される第１候補のメタデータを表示するシーン選択部６０２１、次候補への変更ボタン６０２２、取り消しボタン６０２３、及び確定ボタン６０２４が表示されている。メタデータ候補抽出部１０８４は、メタデータリストから分類４０４がシーンに設定され、親分類をステップＳ３０５で設定したタイトルとするメタデータを絞り込む。さらに、メタデータ候補抽出部１０８４は、絞り込んだメタデータに対しメタデータリストの順番を判定する。表示出力処理部１１０は、絞り込んだメタデータのうち順番を１とするメタデータである「開会式」をシーン選択部６０２１に表示し、順番を２とするメタデータ「競技」を変更ボタン６０２２の近接する部分に表示する。なお、絞り込んだメタデータをメタデータリストの順番にしたがい一覧で表示してもよい。
【００４６】
ステップＳ３０９では、ユーザはステップＳ３０８で表示されたシーンの分類であるメタデータを変更ボタン６０２２により変更させたり、確定ボタン６０２４により確定させたりする。続いて、メタデータ候補抽出部１０８４は、ユーザにより確定されたメタデータを検出する。なお、ユーザが、シーンのメタデータの選択を中止したいときは取り消しボタン６０２３を選択する。
【００４７】
ステップＳ３１０では、メタデータ付加部１０８２は、撮像データに対してシーンとしてのメタデータを付加する設定をする。
【００４８】
ステップＳ３１１では、メタデータ付加部１０８２は、システムコントローラ１０８のメモリに分類がカットに設定されている入力キーワード（メタデータ）を確認する。また、メタデータ付加部１０８２は、カットに設定されたメタデータの詳細情報から、カットの設定期間等を確認する。
【００４９】
ステップＳ３１２では、メタデータ候補抽出部１０８４は、順番４０５、親分類（関連付け）４０６、及び詳細情報４０７等から分類をカットとするメタデータを絞り込んで抽出する。表示出力処理部１１０は、メタデータ候補抽出部１０８４で選択の候補となるメタデータを表示部に表示する。
【００５０】
図６の表示６０３は、メタデータを表示部に表示したときの表示例を示す。この表示６０３には、カットの分類で選択される第１候補のメタデータを表示するカット選択部６０３１、次候補への変更ボタン６０３２、インサートカットボタン６０３３、及び取り消しボタン６０３４が表示されている。メタデータ候補抽出部１０８４は、メタデータリストから分類４０４がカットに設定され、親分類をステップＳ３１０で設定したシーンとするメタデータを絞り込む。さらに、メタデータ候補抽出部１０８４は、絞り込んだメタデータに対しメタデータリストの順番を判定する。表示出力処理部１１０は、絞り込んだメタデータのうち順番を１とするメタデータである「かけっこ」をカット選択部６０３１に表示し、順番を２とするメタデータ「お遊戯Ａ」を変更ボタン６０３２の近接する部分に表示する。なお、絞り込んだメタデータをメタデータリストの順番にしたがい一覧で表示してもよい。ここで、インサートカットボタン６０３３は、例えば、分類をカットとする撮像データ間に挿入されるタイトル場面や場面転換を撮影する場合に選択されるボタンである。なお、確定ボタンがないのは、撮影の開始を行う操作によりカット選択部６０３１に表示されたメタデータが設定されるためである。
【００５１】
なお、電源投入からここまでのステップで撮影開始ボタンが操作された場合、撮影を優先するために上記処理ステップは一時保留して、撮影を開始する。そして、撮影終了後にレビュー状態として、中断したステップから同様に処理を行うことで、未設定部分の設定や設定修正を行うことも可能である。
【００５２】
次に、ステップＳ３１３で、撮影を待機する撮影待機状態となる。
次に、ステップＳ３１４でメタデータ付加部１０８２は、撮影開始ボタンが押されているかの判定を行う。撮影開始がされていない場合、ステップＳ３１５へ進む。撮影開始された場合にはステップＳ３１６へ進む。
【００５３】
ステップＳ３１５では、メタデータ付加部１０８２は、タイトルやシーンの変更操作が行われていないかの判定を行う。変更がなければ、ステップＳ３１３へ戻り、待機状態を維持する。変更がされていれば、変更内容により、ステップＳ３０３、又はステップＳ３０８のいずれかに戻る。
【００５４】
ステップＳ３１６では、メタデータ付加部１０８２は、ステップＳ３１２でカットの分類で選択される第１候補のメタデータが変更されているか否かの判定を行う。変更されていない場合は、ステップＳ３１８へ進む。変更されている場合は、ステップＳ３１７へ進む。
【００５５】
ステップＳ３１７では、メタデータ付加部１０８２は、撮像データに対してカットとしてのメタデータを更新する設定を行う。
【００５６】
ステップＳ３１８では、メタデータ付加部１０８２は、カットの分類で選択される第１候補のメタデータを確定させ、撮像データに対してカットとしてのメタデータを付加する。
【００５７】
ステップＳ３１９では、メタデータ候補抽出部１０８４は、順番４０５、親分類（関連付け）４０６、及び詳細情報４０７等から分類をフレームとするメタデータを絞り込んで抽出する。表示出力処理部１１０は、メタデータ候補抽出部１０８４で選択の候補となるメタデータを表示部に表示する。
【００５８】
図６の表示６０４は、メタデータを表示部に表示したときの表示例を示す。この表示６０４には、お気に入りボタン６０４１、メタデータ選択ボタン６０４２〜６０４４、次候補への変更ボタン６０４５が表示されている。メタデータ候補抽出部１０８４は、メタデータリストから分類４０４がフレームに設定されているメタデータを絞り込む。表示出力処理部１１０は、絞り込んだメタデータ「○太」「◇子先生」「△介くん」をメタデータ選択ボタン６０４２〜６０４４に表示する。なお、分類がフレームのメタデータを選択する場合は、撮影中であるため、メタデータ選択ボタン６０４２〜６０４４が選択されると、メタデータが確定する。メタデータ付加部１０８２は、フレームの分類で選択されるメタデータを、撮像データに対してフレームとしてのメタデータを付加する。なお、撮影中において、焦点距離、画角、色味、露出等の調整操作中の場合やシーンモードの設定中の場合においては、表示部に表示されたメタデータやボタン類は撮影の妨げとなる。したがって、表示出力処理部１１０は、メタデータやボタン類の表示を中止するようにしてもよい。
【００５９】
ステップＳ３２０では、記録再生制御処理部１０５は、撮影処理を行い、撮像データと付加するメタデータとを記録媒体１０６に記録する。
【００６０】
ステップＳ３２１では、メタデータ付加部１０８２は、ユーザにより撮影中に分類がフレームに設定されているメタデータが選択されたか否かの判定を行う。メタデータ選択がされた場合にはステップＳ３２２へ進む。メタデータが選択されていない場合にはステップＳ３２３へ進む。
【００６１】
ステップＳ３２２では、メタデータ付加部１０８２は、フレームの分類で選択されるメタデータを、撮像データに対してフレームとしてのメタデータを付加する。
【００６２】
ステップＳ３２３では、メタデータ付加部１０８２は、撮影が終了したか否かの判定を行う。撮影が終了した場合は、ステップＳ３１３へ戻り撮影待機状態となる。撮影が終了していない場合は、ステップＳ３２０に戻り撮影処理を継続する。
【００６３】
図７は、撮像装置１によって撮像され、記録媒体１０６に記録された撮像データを模式的に示す図である。図７のように、撮像データにはタイトルの下位にシーン１と、シーン２−１と、シーン３と、シーン２−２と、シーン４とがある。またシーン２−１には、カット１と、インサートカットと、カット３と、カット４とがある。さらに各カットには、フレーム１〜７がある。このように、撮像データにメタデータを設定することで、メタデータを基に撮影後の再生や編集を容易に行うことができる。
【００６４】
本実施形態によれば、撮影状態としての撮影操作とメタデータ属性情報とを関連付けすることで、撮影操作を行う前後で、撮像データに付加するメタデータの候補を絞り込むことができる。
例えば、撮影開始の操作が行われる前の状態であるとする。この場合、メタデータ候補抽出部１０８４は、分類がタイトルであるメタデータ、分類がシーンであるメタデータ、分類がカットであるメタデータを抽出する。すなわち、メタデータ候補抽出部１０８４は、時間的に長い分類からメタデータを抽出する。
また、撮影開始の操作が行われる後であるとする。この場合、メタデータ候補抽出部１０８４は、分類がフレームであるメタデータを抽出する。すなわち、メタデータ候補抽出部１０８４は、時間的に短い分類からメタデータを抽出する
したがって、ユーザは、絞り込まれたメタデータの中から選択すればよいので、撮像データに対してメタデータの付加を簡単に行うことができる。
【００６５】
（第２の実施形態）
第１の実施形態では、抽出するメタデータを絞り込むために、撮影操作とメタデータ属性情報とを関連付け、撮影操作に応じてメタデータの候補を抽出する場合について説明した。
本実施形態では、入力したキーワード（メタデータ）に対して、メタデータ属性情報にレンズ状態、すなわち撮影条件を設定してデータリストを登録する場合について説明する。例えば、入力キーワード（メタデータ）を花の名称や、昆虫の名称とした場合、対応するメタデータ属性情報には撮影条件をマクロ撮影に設定してデータリストを登録する。一方、入力キーワード（メタデータ）を野鳥の名称とした場合、対応するメタデータ属性情報には撮影条件を望遠撮影に設定してデータリストを登録する。
【００６６】
次に、撮像データにメタデータを付加する場合について説明する。本実施形態では撮像データにメタデータを付加するタイミングは、撮影の開始前、開始後のいずれであってもよい。撮影情報取得部１０８１は、レンズ制御部１０７からレンズ状態、すなわち撮影条件を取得する。次に、メタデータ候補抽出部１０８４は、撮影情報取得部１０８１で取得した撮影条件からメタデータを絞り込んで抽出する。
【００６７】
例えば、撮影情報取得部１０８１で取得した撮影条件が、マクロ撮影であった場合は、メタデータ候補抽出部１０８４は、花の名称や昆虫の名称等とするメタデータを絞り込んで抽出する。また、撮影情報取得部１０８１で取得した撮影条件が、望遠撮影であった場合は、メタデータ候補抽出部１０８４は、野鳥の名称とするメタデータを絞り込んで抽出する。その後、表示出力処理部１１０は、メタデータ候補抽出部１０８４で選択の候補となるメタデータを表示部に一覧表示する。ここで、マクロ撮影であるか望遠撮影であるかは、焦点距離の調整又は画角の調整によって定まるものである。
【００６８】
なお、キーワード（メタデータ）に対して、メタデータ属性情報に露出や色合い、すなわち撮影条件を設定してデータリストを登録してもよい。例えば、入力キーワード（メタデータ）を夜景やスポーツとした場合、対応するメタデータ属性情報には撮影条件を、露出長さをそれぞれ異なる所定値の範囲に設定して登録する。メタデータ候補抽出部１０８４は、撮影情報取得部１０８１で取得した撮影条件の露出長さに応じて、夜景のメタデータを抽出したり、スポーツのメタデータを抽出したりすることができる。
【００６９】
本実施形態によれば、撮影状態としての撮影条件とメタデータ属性情報とを関連付けすることで、撮影時において、撮像データに付加するメタデータの候補を絞り込むことができる。したがって、ユーザは、絞り込まれたメタデータの中から選択すればよいので、撮像データに対してメタデータの付加を簡単に行うことができる。
【００７０】
ここで、メタデータ候補抽出部１０８４が抽出するメタデータのデータ数は、ユーザの操作習熟度や、撮影環境（三脚を使用しているか、手持ちであるか等）により適切な数は異なる。この場合、ユーザが登録するメタデータを増減させて適切なデータ数にしてもよく、抽出することができるデータ数を設定できるようにしてもよい。
【００７１】
なお、本実施形態に係る撮像装置において、撮像装置自体の機能を用いて、データリストを登録する場合について説明した。しかしながら、これに限られるものではなく、例えば、メタデータリストの登録を撮像装置と異なるＰＣ（パーソナルコンピュータ）で行ってもよい。そして、登録されたメタデータリストのデータを撮像装置に設けられた通信制御部を介して、システムコントローラのメモリに記憶させておくことで、図３のフローチャートと同様の動作処理を行うことができる。
【００７２】
本発明によれば、撮影状態とメタデータ属性情報とを関連付けているので、撮影時において、撮像データにメタデータを付加する場合、メタデータの絞り込みを行うことができるので、メタデータの付加を簡単に行うことができる。
【００７３】
上述した本発明の実施形態における情報付加装置を構成する各手段、並びに情報付加方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００７４】
また、本発明は、例えば、システム、装置、方法、プログラムもしくは記録媒体等としての実施形態も可能であり、具体的には、複数の機器からなるシステムに適用してもよい。
【００７５】
なお、本発明は、上述した実施形態の機能を実現するソフトウェアのプログラムを、システムまたは装置に直接、または遠隔から供給する。そして、そのシステムまたは装置のコンピュータが前記供給されたプログラムコードを読み出して実行することによっても達成される場合を含む。
【００７６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００７７】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７８】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７９】
【図１】本実施形態に係る撮像装置の構成を示す図である。
【図２】本実施形態に係るメタデータ登録の処理動作を示すフローチャートである。
【図３】本実施形態に係るメタデータを付加する処理動作を示すフローチャートである。
【図４】本実施形態に係る登録されたメタデータリストを示す図である。
【図５】本実施形態に係る登録されたメタデータの相関を示す図である。
【図６】本実施形態に係るメタデータを選択する画面の一例を示す図である。
【図７】本実施形態に係る撮像データのデータ状態を示す図である。
【符号の説明】
【００８０】
１０１      レンズ
１０２      撮像素子
１０３      カメラ信号処理部
１０４      圧縮伸長処理部
１０５      記録再生制御処理部
１０６      記録媒体
１０７      レンズ制御部
１０８      システムコントローラ
１０９      操作部
１１０      表示出力処理部
１０８１    撮影情報取得部
１０８２    メタデータ付加部
１０８３    メタデータ設定記憶部
１０８４    メタデータ候補抽出部
１０９１    メタデータ付加選択部
１０９２    メタデータ設定部
【図１】
2008270975.tif 000003
【図２】
2008270975.tif 000004
【図３】
2008270975.tif 000005
【図４】
2008270975.tif 000006
【図５】
2008270975.tif 000007
【図６】
2008270975.tif 000008
【図７】
2008270975.tif 000009